(57)【要約】【課題】種々の変化に富んだ発光態様を実現し、以て、当該靴を履用する子供たちに十分な興味を抱かせることができる発光装置付き靴を提供することを課題とする。【解決手段】赤色、緑色及び青色のＬＥＤ２〜４と、ＬＥＤ２〜４を点灯させる電池５と、ＬＥＤ２〜４の点滅を制御するＬＥＤ点滅駆動用ＩＣ基板６と、ＩＣ基板６を振動又は荷重によって起動させるスイッチ７とから成る発光ユニット１を任意の位置に備えた靴であり、発光ユニット１は、靴の任意の位置に配した透視性樹脂カバー１０内に収められ、透視性樹脂カバー１０には、キャラクターの図柄、絵模様その他の装飾要素１１が外部から視認可能に表現されていることを特徴とする。【選択図】図３
2011182920.tif 000002
【特許請求の範囲】
【請求項１】
赤色、緑色及び青色のＬＥＤと、前記各ＬＥＤを点灯させる電池と、前記各ＬＥＤの点滅を制御するＬＥＤ点滅駆動用ＩＣ基板と、前記ＩＣ基板を振動又は荷重によって起動させるスイッチとから成る発光ユニットを任意の位置に備えた靴であって、
前記発光ユニットは、前記靴の任意の位置に配した透視性樹脂カバー内に収められ、前記透視性樹脂カバーには、キャラクターの図柄、絵模様その他の装飾要素が外部から視認可能に表現されていることを特徴とする、発光機能を有する靴。
【請求項２】
前記発光ユニットは、靴の甲被を横切るバンドの中央部に組み込まれる、請求項１に記載の発光機能を有する靴。
【請求項３】
前記発光ユニットは、前記バンドの裏面から出し入れ可能にされる、請求項２に記載の発光機能を有する靴。
【請求項４】
前記発光ユニットの前記ＩＣ基板は、前記ＬＥＤを1つずつ順次点滅させるように制御する、請求項１に記載の発光機能を有する靴。
【請求項５】
前記発光ユニットの前記ＩＣ基板は、前記ＬＥＤを２つずつ順次点滅させるように制御する、請求項１に記載の発光機能を有する靴。
【請求項６】
前記発光ユニットの前記ＩＣ基板は、前段の１つ又は２つのＬＥＤが滅動作を完了する前に後段の１つ又は２つのＬＥＤの点灯動作を開始させるように制御する、請求項４又は５に記載の発光機能を有する靴。
【請求項７】
前記発光ユニットの前記ＩＣ基板は、前記３つのＬＥＤの全部の点滅、そのうちの２つの点滅、そのうちの１つの点滅、をこの順に反復するように制御する、請求項１に記載の発光機能を有する靴。
【請求項８】
前記発光ユニットの前記ＩＣ基板は、前記３つのＬＥＤのうちの２つの点滅とそのうちの１つの点滅が、順次色を変えて行われるように制御する、請求項７に記載の発光機能を有する靴。
【発明の詳細な説明】
【技術分野】
【０００１】
本発明は、発光機能を有する靴に関するものであり、より詳細には、物理的刺激を受けることにより動作し、変化に富んだ動きのある発光をすることにより、殊に、小児に興味を持って受け入れられる発光機能を有する靴に関するものである。
【背景技術】
【０００２】
従来より、種々の態様の発光装置付き靴が知られている。例えば、靴の表面側に配設されるＬＥＤと靴底に配設されるスイッチと、靴底内に埋設される前記ＬＥＤの電源となる電池を備えていて、スイッチが所定量の荷重を感知すると電池からＬＥＤへ電気が流れてこのＬＥＤを自己発光させるものが開示されている（特許文献１：実開平４−９６２０５号公報）。
【０００３】
また、電池、荷重スイッチ、及び前後２個の発光体を備えた発光装置を、透明なる外底と発泡塩化ビニールからなる中間底によって構成された靴底の踵部に埋設し、発光装置の２個の発光体のうち１個を土踏まず部方向に、１個を踵部方向に配設し、発光装置の埋設部分から爪先方向に向かって、中間に末広がりの溝を施し、光の通過する道を設けたことを特徴とした光る靴について開示されている（特許文献２：特開平１１−９９００６号公報）。
【０００４】
しかしながら、これらの従来の発光装置付き靴の場合は、歩行時における電力消費等については種々考慮されているが、歩行以外の場所での省電力化については、何ら考慮されていないという問題があり、また、靴を昼間履く場合や、地下街等を歩く場合等のように、靴を履いている場合においても発光を欲しない場合もあるところ、上記従来の靴においては自らの意思で発光を止めたり、発光させたりすることができないという問題もあった。
【０００５】
そこで本願出願人は、これらの問題を解決するために先に、電池と、靴底後面及び靴底側面に配置されてなる発光器と、発光器の点灯を制御する制御装置と、該制御装置を振動によって起動させる検知スイッチとを備えた発光装置付き靴であって、靴の外側側面の甲被部分に、前記電池からの電力供給を外部から制御できる手動スイッチを備えたことを特徴とする発光装置付き靴を提唱した（特許文献３：特開平８−３３２１０２号公報）。
【０００６】
しかし、その発光装置付き靴は、発光の態様にさほどの変化がないため、その靴を履用する子供たちに対し、大きな興味を抱かせることはできなかった。
【先行技術文献】
【特許文献】
【０００７】
【特許文献１】実開平４−９６２０５号公報
【特許文献２】特開平１１−９９００６号公報
【特許文献３】特開平８−３３２１０２号公報
【発明の概要】
【発明が解決しようとする課題】
【０００８】
上述したように、従来の発光装置付き靴は、発光の態様にさほどの変化がないため、その靴を履用する子供たちに対し、十分な興味を抱かせることができなかった。そこで本発明は、種々の変化に富んだ発光態様を実現し、以て、当該靴を履用する子供たちに十分な興味を抱かせることができる発光装置付き靴を提供することを課題とする。
【課題を解決するための手段】
【０００９】
上記課題を解決するための請求項１に記載の発明は、赤色、緑色及び青色のＬＥＤと、前記ＬＥＤを点灯させる電池と、前記ＬＥＤの点滅を制御するＬＥＤ点滅駆動用ＩＣ基板と、前記ＩＣ基板を振動又は荷重によって起動させるスイッチとから成る発光ユニットを任意の位置に備えた靴であって、前記発光ユニットは、前記靴の任意の位置に配した透視性樹脂カバー内に収められ、前記透視性樹脂カバーには、キャラクターの図柄、絵模様その他の装飾要素が外部から視認可能に表現されていることを特徴とする、発光機能を有する靴である。
【００１０】
一実施形態においては、前記発光ユニットは、靴の甲被を横切るバンドの中央部に組み込まれる。また、その場合前記発光ユニットは、前記バンドの裏面から出し入れ可能にされることがある。
【００１１】
一実施形態においては、前記発光ユニットの前記ＩＣ基板は、前記ＬＥＤを1つずつ順次点滅させるように制御し、また、前記ＬＥＤを２つずつ順次点滅させるように制御する。これらの場合において、前記ＩＣ基板は、前段の１つ又は２つのＬＥＤが滅動作を完了する前に後段の１つ又は２つのＬＥＤの点灯動作を開始させるように制御することがある。
【００１２】
また、一実施形態においては、前記発光ユニットの前記ＩＣ基板は、前記３つのＬＥＤの全部の点滅、そのうちの２つの点滅、そのうちの１つの点滅をこの順に反復するように制御する。その場合、前記発光ユニットの前記ＩＣ基板は、前記３つのＬＥＤのうちの２つの点滅とそのうちの１つの点滅が、順次色を変えて行われるように制御することがある。
【発明の効果】
【００１３】
本発明は上記のとおりであって、本発明に係る発光機能を有する靴は、赤色、緑色及び青色のＬＥＤを点滅させる発光ユニットを任意の位置に備えていて、前記発光ユニットは、前記靴の任意の位置に配した透視性樹脂カバー内に収められ、前記透視性樹脂カバーは、キャラクターの図柄、絵模様その他の装飾要素が外部から視認可能に表現されているので、靴装着時にその装飾要素がきれいに光るため、特に、小児が興味を抱いて好んで装着する効果がある。
【００１４】
また、本発明に係る発光機能を有する靴においては、赤色、緑色及び青色のＬＥＤが変化に富んだ点滅動作をするので、その装飾要素の装飾効果が助長され、一層興味を持って人目を惹く効果がある。
【図面の簡単な説明】
【００１５】
【図１】本発明に係る発光機能を有する靴の一実施形態の外観例を示す斜視図である。
【図２】本発明に係る発光機能を有する靴の一実施形態の要部の構成例を示す斜視図である。
【図３】図２におけるＡ−Ａ線断面拡大図である。
【図４】本発明に係る発光機能を有する靴に用いる発光ユニットの回路図である。
【発明を実施するための形態】
【００１６】
以下に、本発明を実施するための形態について、図面を参照しつつ、更に詳細に説明する。本発明に係る発光機能を有する靴は、赤色、緑色及び青色のＬＥＤ２、３、４と、これらＬＥＤ２〜４を点灯させる電池５と、これらＬＥＤ２〜４の点滅を制御するＬＥＤ点滅駆動用ＩＣ基板６と、ＬＥＤ点滅駆動用ＩＣ基板６を振動又は荷重によって起動させるスイッチ７とから成る発光ユニット１を任意の位置に備えたものである。
【００１７】
電池５は、ＬＥＤ２〜４を点灯させ得るものであればよく、通例、ボタン型（コイン型）のリチウム電池やアルカリマンガン電池等が利用される。
【００１８】
スイッチ７は、靴を履いた状態での歩行による振動、あるいは、手や足による打叩刺激を検知して、一定時間（例えば、５秒間）電源を供給するように形成される。このスイッチ７としては、例えば、導電性の材質で作成されたバネを配し、このバネの振動方向に対して一定距離離れた場所に端子を設けて構成される。この構成の場合、歩行等における振動や打叩刺激を受けてバネが端子方向に揺れ、端子に接触することにより通電する。この通電により制御装置６が作動し、所定時間、所定態様にて各ＬＥＤ２〜４を点滅させる。
【００１９】
上述したスイッチ７の構成は、あくまで一例を示すもので、歩行等における振動や打叩刺激を受けて通電するタイプのスイッチであれば、その他の任意の構成のものを採用し得ることは言うまでもない。
【００２０】
図示した例では、発光ユニット１は、最も目立つ位置である、靴の甲被１２を横切るバンド部１３の中央部に組み込まれている。そこにおいて発光ユニット１は、バンド１３に設置した透視性樹脂カバー１０内に収められ、その透視性樹脂カバー１０の通例内面に、外から透視可能に、例えば、キャラクターの図柄や絵模様、あるいは、写真、その他適宜の装飾要素１１が印刷される。
【００２１】
好ましくは、バンド１３を２枚の素材１３ａ、１３ｂを重合して構成するものとし、上側の素材１３ａに透視性樹脂カバー１０よりも少し小径の開口１４を設ける。そして、発光ユニット１を収めた状態にて透視性樹脂カバー１０を下側の素材１３ｂ上に載置し、その上に上側の素材１３ａを被せ、透視性樹脂カバー１０の端縁を開口１４の端縁で押えて縫着する（図３参照）。
【００２２】
発光ユニット１は、バンド１３の下側の素材１３ｂに形成される、例えば、半円形の切込み１５から、出し入れ可能にされることがある。そのように構成した場合は、発光ユニット１の交換、あるいは、発光ユニット１を取り出しての電池５の交換等が可能となる。
【００２３】
発光ユニット１のＬＥＤ２〜４の点滅駆動を制御するＩＣ基板６は、ＬＥＤ２〜４が、種々の態様で点滅するように制御する。その点滅態様としては、以下のものが考えられる。
ａ）各ＬＥＤ２〜４が１つずつ順次点滅する態様
ｂ）各ＬＥＤ２〜４が２つずつ順次点滅する態様
ｃ）上記ａ）又はｂ）の態様において、前段の１つ又は２つのＬＥＤが滅動作を完了す
る前に後段の１つ又は２つのＬＥＤの点灯動作を開始させる態様
ｄ）３つのＬＥＤ２〜４の全部の点滅、そのうちの２つの点滅、そのうちの１つの点滅
をこの順に反復させる態様
ｅ）３つのＬＥＤ２〜４のうちの１つの点滅、２つの点滅、全部の点滅、２つの点滅、
１つの点滅をこの順に反復させる態様
ｆ）上記ｄ）又はｅ）の態様において、３つのＬＥＤのうちの２つの点滅とそのうちの
１つの点滅を、順次色を変えて行わせる態様
【００２４】
上記ａ）乃至ｅ）の態様は、それぞれ独立させて一定時間反復させることとしてもよいが、より変化を持たせるために、それらの態様を適宜組み合わせることが好ましい。例えば、ｄ）の態様を２順、ｅ）の態様を２順、ａ）の態様を４順、ｂ）の態様を４順を１サイクルとして、スイッチ７の１度のトリガーの都度実行させるようにすることができる。
【００２５】
そして更に、ｃ）やｆ）の態様を加えることにより、色の異なるＬＥＤ２〜４が種々組み合わされることで、種々の色光が生成されて、更に種々の変化に富んだ色彩効果が得られる。
【００２６】
そして、透視性樹脂カバー１０には、キャラクターの図柄、絵模様その他の装飾要素１１が外部から視認可能に表現されており、これがその中側から種々の変化に富んだ色の光で照射されるため、その装飾要素１１による装飾効果が一層高められ、子供の興味を大いにそそるものとなる。
【００２７】
この発明をある程度詳細にその最も好ましい実施形態について説明してきたが、この発明の精神と範囲に反することなしに広範に異なる実施形態を構成することができることは明白なので、この発明は添付請求の範囲において限定した以外はその特定の実施形態に制約されるものではない。
【符号の説明】
【００２８】
１    発光ユニット
２、３、４      ＬＥＤ
５    電池
６    ＩＣ基板
７    スイッチ
１０    透視性樹脂カバー
１１    装飾要素
１２    靴の甲被
１３    バンド
１４    開口
１５    切込み
【図１】
2011182920.tif 000003
【図２】
2011182920.tif 000004
【図３】
2011182920.tif 000005
【図４】
2011182920.tif 000006